(57)【特許請求の範囲】
【請求項１】
操作端末と通信するネットワーク通信部と、
前記操作端末に撮影画像を送信する撮像部と、
前記撮像部が向いている方向に、暗視撮影用照明として赤外線を照射する発光ダイオードと、
前記発光ダイオードの兼用による電子機器を操作するためのリモコンコードを送信するリモコン送信部と、
遠隔操作の種類を示す識別情報と前記遠隔操作を実現するリモコンコードとが対応付けられた各遠隔操作情報を記憶する記憶部と、
前記遠隔操作の種類を示す識別情報を含む操作指示情報を受信したならば、前記遠隔操作の種類に対応するリモコンコードを前記リモコン送信部から送信する制御部と、
を備えることを特徴とする遠隔制御装置。
【請求項２】
前記撮像部および前記発光ダイオードの方向を制御する可動部を更に備えており、
前記可動部により、前記電子機器の赤外線受光部に対して前記発光ダイオードを向けたのちに、当該電子機器を操作するためのリモコンコードを前記発光ダイオードにより赤外線で送信する、
ことを特徴とする請求項１に記載の遠隔制御装置。
【請求項３】
温度センサ、照度センサ、湿度センサ、気圧センサ、埃センサ、音センサのうちいずれかを含むセンサ部を備えており、
前記制御部は、
前記センサ部のセンサ情報が事前に設定された条件を満たしたならば、当該条件に紐付けられた電子機器に対して前記撮像部および前記発光ダイオードを向けたのち、当該条件に紐付けられたリモコンコードを前記リモコン送信部から送信する、
ことを特徴とする請求項２に記載の遠隔制御装置。
【請求項４】
前記制御部は、
前記撮像部による撮影開始前の照度が閾値以下ならば、前記電子機器のひとつである照明を点灯させるリモコンコードを前記リモコン送信部により送信する、
ことを特徴とする請求項１ないし請求項３のいずれか１項に記載の遠隔制御装置。
【請求項５】
前記制御部は、
前記撮像部による撮影終了時に、前記電子機器のひとつである照明を消灯させるリモコンコードを前記リモコン送信部により送信する、
ことを特徴とする請求項１ないし請求項３のいずれか１項に記載の遠隔制御装置。
【請求項６】
前記ネットワーク通信部は、無線ネットワークまたは有線ネットワークを介して前記操作端末と通信する、
ことを特徴とする請求項１ないし請求項５のいずれか１項に記載の遠隔制御装置。
【請求項７】
前記制御部は、
前記記憶部にリモコンコード送信の履歴情報を記録する、
ことを特徴とする請求項１ないし請求項６のいずれか１項に記載の遠隔制御装置。
【請求項８】
前記制御部は、一の操作端末によって制御されているときには、他の操作端末の制御を受け付けない、
ことを特徴とする請求項１ないし請求項７のいずれか１項に記載の遠隔制御装置。
【発明の詳細な説明】
【技術分野】
【０００１】
本発明は、電子機器を遠隔制御する遠隔制御装置に関する。
【背景技術】
【０００２】
近年、インターネットの普及に伴い、インターネットを介して家庭電化製品を遠隔制御する製品が登場した。この製品は、例えば、株式会社グラモのｉＲｅｍｏｃｏｎ（登録商標）や、株式会社ＰｌｕｔｏのＰｌｕｔｏ（登録商標）ステーションなどである。このような遠隔制御装置は、一般に「ネットワークリモコン」と呼ばれている。このような遠隔制御装置によれば、例えば、帰宅前に予めエアコンを稼働させることが可能となり、室内温度を適切にした状態で帰宅できる。更に帰宅前に予め室内照明を点灯させ、安全に帰宅することが可能となる。また、夏場の外出中であっても、ペットのためにエアコンを稼働させることが可能となる。特許文献１は、このような遠隔制御装置（ネットワークリモコン）に関する発明のひとつである。
【０００３】
特許文献１の要約書には、「ホーム管理ユニット６０は、サービス管理サーバ５０から移動パケット通信網２０を介して電子機器の遠隔制御の制御コマンドを受信すると、この制御コマンドに含まれるコードNo.に対応する信号コードを赤外線信号登録テーブル６０４ａから読み出す。次いで、この信号コードに応じた赤外線操作信号を赤外線制御部６０７により生成させて各赤外線発光部６０７ａ，６０７ｂ，６０７ｃから送信する。」と記載されている。
【０００４】
例示したネットワークリモコンの製品は、予め設定されたリモコンコードを遠隔地から送信させる制御が可能である。しかし、リモコンコードの送信方向を代えることができず、よってリモコンコードが機器に到達しない虞がある。また、室内の状態を検知することができず、よってリモコン操作の結果を確認できないという問題を有している。特許文献２に記載の発明は、ネットワークリモコンと、パンおよびチルトが可能なネットワークカメラとを組み合わせることで、この問題を解決している。
【０００５】
特許文献２の要約書には、「ＬＡＮ等のネットワークに接続され、ネットワークに画像データを送信可能であり、かつネットワークからの制御信号によって遠隔操作可能な画像通信装置２であって、リモコン発光部２６が配設されたカメラ２１と、カメラ２１の姿勢を制御すると共にリモコン発光部２６の発光信号を制御する制御部２４と、データを記憶する記憶部２５とを有し、制御部２４は、ネットワークを介して送信される制御信号により、リモコン発光部２６の発光信号を制御する制御データとカメラ２１の姿勢、ズームを含む撮像条件を特定するための撮像制御データとをプリセットデータとして記憶部２５に登録させる。」と記載されている。
【先行技術文献】
【特許文献】
【０００６】
【特許文献１】特開２００２−１５２８５６号公報
【特許文献２】特開２００３−３３３５８５号公報
【特許文献３】特開２００８−２８３２９８号公報
【発明の概要】
【発明が解決しようとする課題】
【０００７】
特許文献２に記載されている発明は、予めプリセットされた情報に基づく制御であり、任意の電子装置（機器）を制御することは想定されていない。そこで、特許文献３に記載の発明のように、遠隔制御装置（ネットワークリモコン）に赤外線受信部を設けて学習機能を持たせることが考えられる。
【０００８】
しかし、遠隔制御装置に赤外線受信部を設けることにより、製造コストが増大する虞がある。また、遠隔制御装置が、電子機器のリモコンコードを学習したとしても、遠隔地からネットワーク経由で電子機器をリモコン制御するためには、操作端末からその機能を制御できなければならない。つまり、遠隔制御装置は、操作端末に対して新たに学習した機能を通知しなければならない。その操作端末は、新たに通知された機能に係る操作画面を新たに提供しなければならない。このように、制御のための事前処理は煩雑である。
遠隔地から制御可能な電子機器は、そのリモコンコードを遠隔制御装置が学習済みのものに限られる。すなわち、制御したい電子機器のリモコンコードを遠隔制御装置が未学習であったならば、遠隔地からは、その電子機器をリモコン制御することができないという問題がある。
【０００９】
そこで、本発明は、本体に赤外線受信部を備えることなく、遠隔地からネットワークを介して、任意の電子装置をリモコン制御可能な遠隔制御装置を提供することを課題とする。
【課題を解決するための手段】
【００１０】
前記した課題を解決するため、第１の発明の遠隔制御装置は、操作端末と通信するネットワーク通信部と、操作端末と通信するネットワーク通信部と、前記操作端末に撮影画像を送信する撮像部と、前記撮像部が向いている方向に、暗視撮影用照明として赤外線を照射する発光ダイオードと、前記発光ダイオードの兼用による電子機器を操作するためのリモコンコードを送信するリモコン送信部と、遠隔操作の種類を示す識別情報と前記遠隔操作を実現するリモコンコードとが対応付けられた各遠隔操作情報を記憶する記憶部と、前記遠隔操作の種類を示す識別情報を含む操作指示情報を受信したならば、前記遠隔操作の種類に対応するリモコンコードを前記リモコン送信部から送信する制御部とを備える。
【００１２】
その他の手段については、発明を実施するための形態のなかで説明する。
【発明の効果】
【００１３】
本発明によれば、本体に赤外線受信部を備えることなく、遠隔地からネットワークを介して、任意の電子装置をリモコン制御可能な遠隔制御装置を提供することが可能となる。
【図面の簡単な説明】
【００１４】
【図１】本実施形態における遠隔制御リモコンを示す概略の構成図である。
【図２】本実施形態におけるスマートフォンを示す概略の構成図である。
【図３】リモコン操作時のモード遷移図である。
【図４】共通事前設定のモード遷移図である。
【図５】ユーザ操作時における事前設定のモード遷移図である。
【図６】ユーザ操作時におけるモード遷移図である。
【図７】ユーザ操作時におけるエアコン・オン処理を示すフローチャートである。
【図８】暗視モード中のリモコン送信処理を示すフローチャートである。
【図９】自動制御時における事前設定のモード遷移図である。
【図１０】自動制御時におけるエアコン・オン処理を示すフローチャートである。
【発明を実施するための形態】
【００１５】
以降、本発明を実施するための形態を、各図を参照して詳細に説明する。
図１は、本実施形態における遠隔制御リモコン１を示す概略の構成図である。
図１に示すように、遠隔制御リモコン１（遠隔制御装置）は、センサ部１１と、制御部１２と、ネットワーク通信部１３とを備えており、ルータ８を介してインターネット９に接続される。この遠隔制御リモコン１は更に、スピーカ１４と、メモリカード１５２と、これを制御するメモリカードコントローラ１５１と、情報を記憶する記憶部１６と、ＵＳＢ（Universal Serial Bus）端子１７とを備えている。遠隔制御リモコン１は、スマートフォン２および操作プログラム２７１（図２参照）により、遠隔地からインターネット９（ネットワーク）やルータ８などを介して、照明３や、エアコン４や、家電５などをリモコンで制御するものである。スマートフォン２および操作プログラム２７１は、サービス提供用外部サーバ７と通信して、照明３やエアコン４や家電５などに係る各種情報をダウンロードする。
【００１６】
センサ部１１は、音を収録して電気信号に変換するマイク１１１と、温度を検知する温度センサ１１２と、照度を検知する照度センサ１１６と、暗視照明用かつリモコンコード送信用の赤外線ＬＥＤ（Light Emitting Diode）１１７とを備えている。センサ部１１は更に、撮像素子１１４と、光学系１１５と、映像処理制御ＩＣ（Integrated Circuit）１１３と、このセンサ部１１全体の方向を制御するパンチルト可動部１１８とを備えている。
【００１７】
光学系１１５は、例えば、複数のレンズと鏡筒とを含んで構成され、この撮像素子１１４に光学像（赤外線像を含む）を結ぶものである。撮像素子１１４は、例えばＣＣＤ（Charge Coupled Device）イメージセンサやＣＭＯＳ（Complementary MOS）イメージセンサなどであり、光学像を電気信号に変換するものである。映像処理制御ＩＣ１１３は、撮像素子１１４が出力した生の電気信号を、例えばＹＵＶやＲＧＢなどに代表される映像信号に変換するものである。光学系１１５と、撮像素子１１４と、映像処理制御ＩＣ１１３とは、静止画像や動画像を撮影するカメラ（撮像部）を構成する。
パンチルト可動部１１８は、例えばモータなどを含んで構成され、このセンサ部１１全体の方向を制御するものである。
【００１８】
赤外線ＬＥＤ１１７は、光学系１１５が向いている方向に赤外線を照射する発光ダイオードである。光学系１１５は、赤外線ＬＥＤ１１７が照射した赤外線による像（光学像）を撮像素子１１４に結像する。赤外線ＬＥＤ１１７は更に、照明３や、エアコン４や、家電５に赤外線でリモコンコードを送信する。これにより、遠隔制御リモコン１は、照明３や、エアコン４や、家電５をリモート操作することができる。
【００１９】
制御部１２は、中央制御ＩＣ１２１と、モータ制御回路１２２と、オーディオ制御ＩＣ１２３とを備えている。
中央制御ＩＣ１２１は、例えばマイクロコンピュータであり、この遠隔制御リモコン１を統括して制御するものである。中央制御ＩＣ１２１には、モータ制御回路１２２と、オーディオ制御ＩＣ１２３とが接続され、センサ部１１の各種センサが接続され、ネットワーク通信部１３を構成する各部が接続される。中央制御ＩＣ１２１には更に、メモリカードコントローラ１５１と、記憶部１６と、ＵＳＢ端子１７とが接続される。
モータ制御回路１２２は、例えばモータ駆動用ＩＣを含んで構成され、中央制御ＩＣ１２１から制御されて、パンチルト可動部１１８の各モータを駆動する。
オーディオ制御ＩＣ１２３は、中央制御ＩＣ１２１から制御されて、マイク１１１により音データを収録する。遠隔制御リモコン１のマイク１１１の音データは、インターネット９を介してスマートフォン２へ送信され、スマートフォン２のスピーカ２４から音として出力される。スマートフォン２のマイク２１により収録した音データは、インターネット９を介して遠隔制御リモコン１に送信され、遠隔制御リモコン１のスピーカ１４から音として出力される。
遠隔制御リモコン１のマイク１１１とスマートフォン２のスピーカ２４、スマートフォン２のマイク２１と遠隔制御リモコン１のスピーカ１４を使用して遠隔制御リモコン１とスマートフォン２との双方向通話を実施する場合は、遠隔制御リモコン１側とスマートフォン２側が交互に通話するトランシーバ通話方式であってもよく、遠隔制御リモコン１側とスマートフォン２側が同時に通話する同時通話方式であってもよい。同時通話方式を実現する場合は、遠隔制御リモコン１のマイク１１１にエコーキャンセル機能を備えることが望ましい。このエコーキャンセル機能により、マイク１１１で受信した音からスピーカ１４から送信された音を打ち消すことができる。
【００２０】
ネットワーク通信部１３は、ＬＡＮ（Local Area Network）コネクタ１３１と、無線ＬＡＮ制御ＩＣ１３２と、アンテナ１３３と、近距離無線制御部１３４とを備え、ルータ８やインターネット９（ネットワーク）などを介してスマートフォン２などと通信するものである。
ＬＡＮコネクタ１３１は、ケーブルやルータ８を介して有線で通信フレームを送受信するものである。無線ＬＡＮ制御ＩＣ１３２は、アンテナ１３３を介して無線で通信フレームを送受信するものである。
近距離無線制御部１３４は、例えばISO/IEC 18092準拠の無線通信を行う部位である。近距離無線制御部１３４により、遠隔制御リモコン１は、同規格に準拠するスマートフォン２との間で、近距離無線通信を行うことができる。なお、近距離無線制御部１３４は、Bluetooth（登録商標）による近距離無線を行ってもよい。
【００２１】
スピーカ１４は、電気信号を音に変換するものであり、オーディオ制御ＩＣ１２３に接続される。
メモリカード１５２は、情報を記憶する不揮発性メモリを含んで取り外し可能に構成されており、メモリカードコントローラ１５１によって制御される。
記憶部１６は、例えばフラッシュメモリなどの不揮発性メモリを含んで構成される。記憶部１６は、情報やプログラムなどを記憶するものであり、遠隔操作の種類を示す識別情報と、その遠隔操作を実現するリモコンコードとが対応付けられた各遠隔操作情報を記憶する。
ＵＳＢ端子１７は、例えばＵＳＢ規格のＢ端子であり、パーソナルコンピュータなどに代表されるＵＳＢホストとの間を接続する端子である。
【００２２】
遠隔制御リモコン１は、遠隔地のスマートフォン２からインターネット９を介して制御される。遠隔制御リモコン１は、赤外線ＬＥＤ１１７によって照明３やエアコン４や家電５などに、所望のリモコンコードを送信する。
【００２３】
遠隔制御リモコン１とスマートフォン２のユーザ操作時における動作の説明は、図３ないし図８によって詳細に説明する。ユーザは、スマートフォン２を介して遠隔制御リモコン１を制御することにより、例えば帰宅前にエアコン４のスイッチを入れたり、照明３のスイッチを入れることができる。外出後には、ユーザがエアコン４などのオン・オフ状態を確認し、そのスイッチを切ることができる。ユーザがペットを飼っている場合には、給餌装置を駆動してペットに給餌すると共に、カメラでペットの状態を把握することができる。
【００２４】
遠隔制御リモコン１は、事前に指定された一連の自動制御用の操作指示情報により、赤外線ＬＥＤ１１７によって照明３やエアコン４や家電５などに、所望のリモコンコードを送信することができる。この自動制御時における動作の説明は、図９および図１０によって詳細に説明する。ユーザは、遠隔制御リモコン１を自動制御することにより、例えば室内に居るペットにとって最適な室温を維持したり、自動給餌装置を駆動させてペットに給餌することができる。
また、長期の旅行や出張中などに、夜だけ部屋の照明を点灯させたり、テレビの電源をオンさせることにより、在宅中のように見せかけることができる。
【００２５】
図２は、本実施形態におけるスマートフォン２を示す概略の構成図である。
図２に示すように、スマートフォン２（操作端末）は、ＣＰＵ（Central Processing Unit）２２と、通信部２３と、マイク２１と、スピーカ２４と、一体構成されたタッチパネル部２５１および液晶表示部２５２と、赤外線受光部２６と、情報を記憶する記憶部２７とを備えている。
ＣＰＵ２２は、このスマートフォン２を統括して制御するものである。
通信部２３は、無線ＬＡＮ制御ＩＣ２３２と、アンテナ２３３と、近距離無線制御部２３４とを備え、図１に示すルータ８やインターネット９などを介して、遠隔制御リモコン１などと通信するものである。無線ＬＡＮ制御ＩＣ２３２は、アンテナ２３３を介して電波を送受信する。
近距離無線制御部２３４は、図１に示す近距離無線制御部１３４と同様に、ISO/IEC 18092準拠の無線通信を行う部位である。これにより、スマートフォン２は、同規格に準拠する遠隔制御リモコン１との間で、近距離無線通信を行うことができる。
マイク２１は、音を収録して電気信号に変換するものである。スピーカ２４は、電気信号を音に変換するものである。マイク２１とスピーカ２４とは、例えばスマートフォン２で音声通話するときに使われる。
タッチパネル部２５１は、例えば液晶表示部２５２の表面を覆う透明導電パネルであり、指やタッチペンなどの接触部位を検知するものである。液晶表示部２５２は、例えば液晶ディスプレイであり、文字や情報や図形などを表示するものである。
【００２６】
赤外線受光部２６は、例えば赤外線センサなどであり、照明３やエアコン４や家電５などのリモコンが送信するリモコンコードを受信（学習）するものである。なお、赤外線受光部２６は、スマートフォンが赤外線通信用に搭載している赤外線受光部を流用してもよい。
記憶部２７は、操作プログラム２７１を含んで記憶している。この操作プログラム２７１は、ＣＰＵ２２によって実行されて、図１０に示す処理などを具現化する。
【００２７】
図３は、リモコン操作時のモード遷移図である。
図３に示すように、スマートフォン２（操作端末）は、動作を開始すると、モードＭ１０に遷移する。
モードＭ１０において、スマートフォン２は、視聴アプリケーションを起動し、モードＭ１１に遷移する。
モードＭ１１において、スマートフォン２は、遠隔制御リモコン１から、記憶部１６に記録された登録家電一覧を含む設定情報を取得し、登録家電一覧と新規ボタン・編集ボタンを液晶表示部２５２に表示する。スマートフォン２は、遠隔制御リモコン１から設定情報を取得する際、インターネット９や近距離無線通信を介した通信によって取得してもよく、ルータ８を介した通信によって取得してもよい。
スマートフォン２は、新規ボタンが押下されるとモードＭ１２に遷移し、編集ボタンが押下されるとモードＭ１５に遷移し、操作を希望する家電が押下（選択）されるとモードＭ２３に遷移する。
モードＭ１２において、スマートフォン２は、サービス提供用外部サーバ７上のデータベースをダウンロードし、モードＭ１３に遷移する。サービス提供用外部サーバ７上のデータベースは、各家電のジャンルやメーカ毎に、予め識別情報とリモコンコード情報とが対応付けられている。
【００２８】
モードＭ１３において、スマートフォン２は、家電ジャンル一覧を液晶表示部２５２に表示する。スマートフォン２は、いずれかの家電ジャンルが選択（押下）されると、モードＭ１４に遷移する。
モードＭ１４において、スマートフォン２は、選択された家電ジャンルに係るメーカを液晶表示部２５２に一覧表示する。スマートフォン２は、いずれかのメーカが選択（押下）されると、モードＭ２１に遷移する。これにより、スマートフォン２は、ダウンロードしたデータベースに予め登録されている家電ジャンル・メーカ毎の識別情報とリモコンコードの組み合わせを設定情報（遠隔操作情報）として遠隔制御リモコン１に送信し、登録させることができる。ユーザは、スマートフォン２上の簡単な操作で遠隔制御リモコン１に登録することができる。
家電ジャンルの一例は、エアコンであり、メーカの一例は、アイ・オー・データ機器である。識別情報とリモコンコードの組み合わせの一例は、電源ＯＮ／ＯＦＦ、冷房／暖房／ドライ、温度ＵＰ／ＤＯＷＮなどである。スマートフォン２は、これら設定情報（遠隔操作情報）を遠隔制御リモコン１に対して登録する。
モードＭ１５において、スマートフォン２は、サービス提供用外部サーバ７上のデータベースをダウンロードし、遠隔制御リモコン１から記憶部１６に記録されたユーザ定義情報をダウンロードすると、モードＭ１６に遷移する。
モードＭ１６において、スマートフォン２は、登録家電一覧と共に編集ボタンを液晶表示部２５２に表示する。モードＭ１６においてスマートフォン２が表示する登録家電一覧は、モードＭ１１で遠隔制御リモコン１から取得した設定情報内の登録家電一覧と、モードＭ１５でサービス提供用外部サーバ７からダウンロードした情報を合わせたものである。スマートフォン２は、いずれかの家電が選択（押下）されるとモードＭ１７に遷移する。
【００２９】
モードＭ１７において、スマートフォン２は、リモコンボタンを液晶表示部２５２に表示し、表示したリモコンボタンが選択（押下）されるとモードＭ１８に遷移する。なお、リモコンボタンは、スマートフォン２の液晶表示部２５２に表示される操作オブジェクトのアイコン画像である。このアイコン画像は、スマートフォン２の液晶表示部２５２でユーザがタッチ操作により操作しやすい様に設定情報を対応付けするものであり、操作プログラム２７１によって対応付けされる。
モードＭ１８において、スマートフォン２は、メーカボタン・機能ボタンとパンチルトボタンとを液晶表示部２５２に表示する。スマートフォン２は、メーカボタンまたは機能ボタンが押下されるとモードＭ１９に遷移し、パンチルトボタンが押下されるとモードＭ２０に遷移する。
モードＭ１９において、スマートフォン２は、メーカボタン・機能ボタンとユーザ定義機能一覧を液晶表示部２５２に表示する。スマートフォン２は、メーカボタン・機能ボタンのいずれかが選択（押下）されると、スマートフォン２は、リモコンボタンに対応付けられている設定情報を、その選択内容に沿って変更し、モードＭ２１に遷移する。
例えば、ユーザが「メーカ」を選択すると、スマートフォン２は、モードＭ１１，Ｍ１５で取得した設定情報からリモコンボタンに割り当て可能なメーカ名一覧を表示する、これにより、ユーザは、メーカ名を選択・変更可能となる。
例えばユーザが「機能」を選択すると、スマートフォン２は、モードＭ１１，Ｍ１５で取得した設定情報からリモコンに割り当て可能な機能一覧を表示する。これにより、ユーザは、機能を選択・変更可能となる。ユーザが機能を選択することにより、例えば、リモコンボタンに対応付けられている電源ＯＮ／ＯＦＦ（識別情報＋リモコンコード）の機能を、温度ＵＰ／ＤＯＷＮ（識別情報＋リモコンコード）の機能に変更することが可能となる。
【００３０】
モードＭ２０において、スマートフォン２は、パンチルト設定画面を表示する。スマートフォン２は、パンチルト位置（方向）が選択されると、ユーザ操作にて遠隔制御リモコン１のパンチルトを実施し、そのパンチルト位置（方向）の情報をリモコンボタンに対応付けられている設定情報に修正または追加して、モードＭ２１に遷移する。サービス提供用外部サーバ７上のデータベースからダウンロードした設定情報には、遠隔制御リモコン１の向きなどを指定するパンチルト情報は付加されていない。設定情報は、スマートフォン２によってパンチルト情報が付加される。
モードＭ２１において、スマートフォン２は、遠隔制御リモコン１に設定情報を送信する。遠隔制御リモコン１への送信は、インターネット９や近距離無線を介した通信によって実施してもよく、ルータ８を介した通信によって実現してもよい。
モードＭ２２において、遠隔制御リモコン１は、設定情報を受信し、受信した設定情報を記憶部１６に記憶する。モードＭ２２が終了すると、モードＭ１１に戻る。
モードＭ２３において、スマートフォン２は、パンチルトボタンとリモコンボタンとを液晶表示部２５２に表示する。スマートフォン２は、パンチルトボタンが押下されたならばモードＭ２４に遷移し、リモコンボタンが押下されたならばモードＭ２５に遷移する。
モードＭ２４において、スマートフォン２は、パンチルトコマンドをインターネット９を介して遠隔制御リモコン１に送信する。遠隔制御リモコン１は、パン動作またはチルト動作を行う。これら一連の動作が終了すると、モードＭ２３に戻る。
モードＭ２５において、スマートフォン２は、家電を所定機能で動作させる識別情報を含んだ遠隔制御コマンドをインターネット９を介して遠隔制御リモコン１に送信する。遠隔制御リモコン１は、識別情報に対応付けられた所定機能を実現するリモコンコードを赤外線で家電に照射（発信）する。この所定機能は、遠隔制御リモコン１の記憶部１６に記憶されている識別情報に対応付けられている。
なお、識別情報にパンチルト情報が関連づけられている場合、遠隔制御リモコン１は、パンチルト動作を実施したのち、リモコンコードを赤外線で家電に照射（発信）する。これら一連の動作が終了すると、モードＭ２３に戻る。
このように、スマートフォン２は、サービス提供用外部サーバ７上のデータベースをダウンロードしてユーザに選択させることにより、リモコンコードとメーカ・機能との対応関係を記録した上で、遠隔制御リモコン１に送信することができる。
【００３１】
図４は、共通事前設定のモード遷移図である。
図４に示す共通事前設定は、ユーザがスマートフォン２によってエアコン４を遠隔操作するためのものである。
モードＭ３０において、ユーザは、例えば、遠隔操作したいエアコン４などの家電に標準添付されているリモコンにおいて登録したい操作を実現するボタンを押下してスマートフォン２の赤外線受光部２６に照射する。スマートフォン２（操作端末）は、赤外線受光部２６にてリモコンコードを記録して識別情報と関連付けて、所謂リモコンの学習動作を実施する。これにより、スマートフォン２は、赤外線受光部２６により、標準添付のリモコンからリモコンコードを赤外線で受信（学習）して記録することができる。
モードＭ３１において、スマートフォン２は、サービス提供用外部サーバ７に用意された家電一覧のデータベースより、制御に使用する照明３およびエアコン４の家電ジャンル・メーカをそれぞれ表示して、ユーザに選択させる。モードＭ３０，Ｍ３１のいずれか、または両方が実行されると、モードＭ３２に遷移する。
モードＭ３２において、スマートフォン２は、照明３およびエアコン４のパン・チルト方向をユーザに設定させる。これによりスマートフォン２は、照明３の赤外線受光部の方向座標を照明３へのパンチルト情報とし、エアコン４の赤外線受光部の方向座標をエアコン４へのパンチルト情報とする。これらパンチルト情報により、遠隔制御リモコン１は、カメラ（撮像部）をパンチルト動作させて、各家電の赤外線受光部に対して赤外線ＬＥＤ１１７を向けることができる。パンチルト情報とは、遠隔制御リモコン１が有するカメラのプリセット情報である。なお、プリセット情報は、パンチルト情報の他に、カメラのズーム倍率・撮影画素数・撮影感度などセンサ部１１の任意の設定情報を含んでもよい。
【００３２】
モードＭ３３において、スマートフォン２は、リモコンコード情報・識別情報・パンチルト情報を結合する。これにより、スマートフォン２は、４つの遠隔操作情報Ａ〜Ｄを生成する。
遠隔操作情報Ａは、エアコン・オン信号と、識別情報＃１と、エアコン方向座標（パンチルト情報）とを含んで構成される。
遠隔操作情報Ｂは、エアコン・オフ信号と、識別情報＃２と、エアコン方向座標（パンチルト情報）とを含んで構成される。
遠隔操作情報Ｃは、照明オン信号と、識別情報＃３と、照明方向座標（パンチルト情報）とを含んで構成される。
遠隔操作情報Ｄは、照明オフ信号と、識別情報＃４と、照明方向座標（パンチルト情報）とを含んで構成される。
【００３３】
モードＭ３４において、スマートフォン２は、インターネット９を介して遠隔制御リモコン１に遠隔操作情報Ａ〜Ｄを送信する。
モードＭ３５において、遠隔制御リモコン１は、遠隔操作情報Ａ〜Ｄを受信する。
モードＭ３６において、遠隔制御リモコン１は、自身の記憶部１６に遠隔操作情報Ａ〜Ｄを記録する。
これにより、遠隔制御リモコン１は、自らが赤外線受光部を持つことなく、照明３やエアコン４などの任意の家電装置をリモート制御することが可能となる。なお、本実施形態ではスマートフォン２は、インターネット９を介して遠隔制御リモコン１に遠隔操作情報Ａ〜Ｄを送信しているが、これに限られず、ルータ８を介した通信や近距離無線を介した通信であってもよい。
【００３４】
図５は、ユーザ操作時における事前設定のモード遷移図である。
図５に示す事前設定は、ユーザがスマートフォン２によってエアコン４を遠隔操作するときに、所定照度以下ならば自動で照明３を点灯させるためのものである。
モードＭ４０において、スマートフォン２は、照度閾値の設定画面により、ユーザに照度閾値を設定させる。
モードＭ４１において、スマートフォン２は、設定モードにて「暗い場合は部屋の明かりを点ける」にチェックする。
その内容は、以下の処理＃１，＃２のシーケンスで構成される遠隔操作情報Ｅである。
処理＃１：視聴、撮影前に照度が閾値以下ならば、照明３を点灯する（遠隔操作情報Ｃ）。
処理＃２：視聴、撮影終了時に照明３が点灯していれば、それを消灯する（遠隔操作情報Ｄ）。
【００３５】
モードＭ４２において、スマートフォン２は、遠隔操作情報Ｅを、インターネット９を介して遠隔制御リモコン１に送信する。
モードＭ４３において、遠隔制御リモコン１は、遠隔操作情報Ｅを受信する。
モードＭ４４において、遠隔制御リモコン１は、自身の記憶部１６に遠隔操作情報Ｅを記録する。
この事前設定により、遠隔制御リモコン１は、撮影前に照度が閾値以下であったならば自動点灯して撮影し、撮影終了後に消灯することができる。
【００３６】
図６は、ユーザ操作時におけるモード遷移図である。
図６に示すモード遷移は、ユーザがスマートフォン２を操作して、操作画面を呼び出すことにより開始される。
モードＭ５０において、スマートフォン２は、自身の液晶表示部２５２に、登録家電一覧および操作履歴の操作画面を表示する。登録家電一覧は、図４に示した遠隔操作情報Ａ〜Ｄに対応する。登録家電一覧の情報および操作履歴の情報は、遠隔制御リモコン１の記憶部１６に格納されている。
ユーザが登録家電一覧のうちいずれかを選択したならば、モードＭ５１に遷移する。ここでは例として、選択した「登録家電」と対応付けられている「リモコンボタン」がエアコンのオンであり、遠隔操作情報Ａに対応した識別情報＃１が選択された場合を考える。
【００３７】
モードＭ５１において、スマートフォン２は、遠隔操作情報Ａに対応した識別情報＃１の前に遠隔操作情報Ｃを追加すると共に、その後に遠隔操作情報Ｄを追加し、遠隔操作情報Ａ，Ｃ，Ｄを組み合わせた操作指示情報を作成する。遠隔操作情報Ｃは、照明３のオンを示す操作情報である。遠隔操作情報Ｄは、照明３のオフを示す操作情報である。スマートフォン２は、遠隔操作情報Ａに対応した操作を行う前には照明３をオンし、その操作が終了した後には照明３をオフするように制御する。
モードＭ５２において、スマートフォン２は、作成した操作指示情報を、インターネット９を介して遠隔制御リモコン１に送信する。
モードＭ５３において、遠隔制御リモコン１は、操作指示情報を受信する。
モードＭ５４において、遠隔制御リモコン１は、排他制御を開始し、他の端末からの制御を受け付けなくなる。
モードＭ５５において、遠隔制御リモコン１は、遠隔操作Ｃ（照明ＯＮ）および遠隔操作Ａ（エアコンＯＮ）を実施する。
モードＭ５６において、スマートフォン２は、画面にカメラ映像と動作確認メッセージを表示する。スマートフォン２は、確認ＯＫボタンが選択されたならばモードＭ５８に遷移し、確認ＮＧボタンが選択されたならばモードＭ５７に遷移する。
モードＭ５７において、スマートフォン２は、マニュアルのパンチルト操作画面を表示し、ユーザが遠隔制御リモコン１の向きをマニュアルで操作可能とする。ユーザは、パンチルト操作画面により、エアコン４の方向にパンチルトさせる。スマートフォン２は、モードＭ５７のパンチルト操作画面が終了して方向が決定すると、モードＭ５８に遷移する。
モードＭ５８において、遠隔制御リモコン１は、エアコン４をオンさせるエアコンＯＮ信号を再び発信し、モードＭ５６に戻る。
モードＭ５９において、遠隔制御リモコン１は、遠隔操作Ｄ（照明ＯＦＦ）を実施する。
【００３８】
モードＭ６０において、遠隔制御リモコン１は、排他制御を終了し、他の端末からの制御を受け付けるようになる。これにより、スマートフォン２と遠隔制御リモコン１とは、ユーザ操作による遠隔制御を終了する。
遠隔制御リモコン１は、一のスマートフォン２からの遠隔操作処理中には、排他制御により、他のスマートフォン２からの操作を受け付けないようにしている。これにより、一のスマートフォン２からの遠隔操作を、他のスマートフォン２から阻害されることなく行うことができる。
【００３９】
図７は、ユーザ操作時におけるエアコン・オン処理を示すフローチャートである。このエアコン・オン処理は、図６のモードＭ５４で実行される。
ステップＳ１０において、遠隔制御リモコン１は、照度センサ１１６により、室内照度が閾値以上であるか否かを判断する。遠隔制御リモコン１は、室内照度が閾値以上ならば（Ｙｅｓ）、ステップＳ１５の処理を行い、室内照度が閾値未満ならば（Ｎｏ）、ステップＳ１１の処理を行う。
ステップＳ１１において、遠隔制御リモコン１は、照明３に向けてパンチルト動作を行う。
ステップＳ１２において、遠隔制御リモコン１は、赤外線ＬＥＤ１１７により、照明３を点灯させるリモコンコードを送信する。
【００４０】
ステップＳ１３において、遠隔制御リモコン１は、照度センサ１１６により、室内照度は閾値以上であるか否かを判断する。遠隔制御リモコン１は、室内照度が閾値以上ならば（Ｙｅｓ）、ステップＳ１５の処理を行い、室内照度が閾値未満ならば（Ｎｏ）、ステップＳ１４の処理を行う。
ステップＳ１４において、遠隔制御リモコン１は、暗視用として赤外線ＬＥＤ１１７を点灯する。これにより、遠隔制御リモコン１は、室内照度が不足しており、かつ、照明３が点灯しない場合であっても、赤外線ＬＥＤ１１７により被写体であるエアコン４を照らして、操作状況を撮影することができる。
ステップＳ１５において、遠隔制御リモコン１は、エアコン４に向けてパンチルト動作を行う。
ステップＳ１６において、遠隔制御リモコン１は、赤外線ＬＥＤ１１７により、エアコン４をオンさせるリモコンコードを送信する。ここで、遠隔制御リモコン１は、暗視照明用に使用している赤外線ＬＥＤ１１７を使用してエアコン４のリモコンコードを送信する。赤外線ＬＥＤ１１７を照明用とリモコンコード送信用に兼用することにより、遠隔制御リモコン１は、照明用の赤外線ＬＥＤとリモコンコード送信用の赤外線ＬＥＤとを、それぞれ備える必要がなくなり、装置の小型化や低コスト化が実現できる。
また、遠隔制御リモコン１は、暗視照明用の赤外線ＬＥＤ１１７が複数の赤外線ＬＥＤ素子で構成される場合、そのうちの一部、または全ての赤外線ＬＥＤ素子をリモコンコード送信用として兼用可能な構成としてもよい。その場合、遠隔制御リモコン１は、例えば赤外線ＬＥＤ１１７の赤外線ＬＥＤ素子の一部が故障したとしても、照明動作やリモコン操作に支障を生じなくなる。
【００４１】
ステップＳ１７において、遠隔制御リモコン１は、スマートフォン２により、ユーザに対して動作確認ＯＫであるか否かを問い合わせる。遠隔制御リモコン１は、ユーザが動作確認ＯＫを選択したならば（Ｙｅｓ）、ステップＳ１９の処理を行い、ユーザが動作確認ＮＧを選択したならば（Ｎｏ）、ステップＳ１８の処理を行う。
ステップＳ１８において、遠隔制御リモコン１は、スマートフォン２を介して、ユーザによるマニュアルのパンチルト操作に従って動作する。遠隔制御リモコン１は、マニュアルのパンチルト操作が終了すると、ステップＳ１６の処理に戻る。
ステップＳ１９において、遠隔制御リモコン１は、照明３が点灯中であるか否かを判断する。遠隔制御リモコン１は、照明３が点灯中でないならば（Ｎｏ）、ステップＳ２２の処理を行い、照明３が点灯中ならば（Ｙｅｓ）、ステップＳ２０の処理を行う。
【００４２】
ステップＳ２０において、遠隔制御リモコン１は、照明３に向けてパンチルト動作を行う。
ステップＳ２１において、遠隔制御リモコン１は、赤外線ＬＥＤ１１７により、照明３を消灯させるリモコンコードを送信し、ステップＳ２２の処理を行う。
ステップＳ２２において、遠隔制御リモコン１は、暗視用としての赤外線ＬＥＤ１１７を点灯中であるか否かを判断する。遠隔制御リモコン１は、赤外線ＬＥＤ１１７を点灯中ならば（Ｙｅｓ）、ステップＳ２３の処理を行い、赤外線ＬＥＤ１１７を点灯中でないならば（Ｎｏ）、ステップＳ２４の処理を行う。
ステップＳ２３において、遠隔制御リモコン１は、暗視用としての赤外線ＬＥＤ１１７を消灯する。
ステップＳ２４において、遠隔制御リモコン１は、規定座標にパンチルト動作を行う。
ステップＳ２５において、遠隔制御リモコン１は、記憶部１６に、一連の操作履歴を記録し、図７の処理を終了する。
このように、中央制御ＩＣ１２１は、照明３を点灯してエアコン４をオン制御することにより、鮮明な操作映像を撮影することができる。これにより、ユーザは、制御結果を容易に確認することができる。
【００４３】
図８は、暗視モード中のリモコン送信処理を示すフローチャートである。このリモコン送信処理は、図７のうち赤外線ＬＥＤ１１７に係る処理を詳細に説明したものである。
ステップＳ３０において、遠隔制御リモコン１は、暗視モードであるか否かを判断する。遠隔制御リモコン１は、暗視モードであったならば（Ｙｅｓ）、ステップＳ３１の処理を行い、暗視モードでなかったならば（Ｎｏ）、ステップＳ３２の処理を行う。
ステップＳ３１において、遠隔制御リモコン１は、暗視用の赤外線ＬＥＤ１１７を点灯し、ステップＳ３３の処理を行う。
ステップＳ３２において、遠隔制御リモコン１は、暗視用の赤外線ＬＥＤ１１７を消灯する。
ステップＳ３３において、遠隔制御リモコン１は、リモコン操作指示を行うか否かを判断する。遠隔制御リモコン１は、リモコン操作指示を行わないならば（Ｎｏ）、ステップＳ３０の処理に戻り、リモコン操作指示を行うならば（Ｙｅｓ）、ステップＳ３４の処理を行う。
【００４４】
ステップＳ３４において、遠隔制御リモコン１は、暗視モードであるか否かを判断する。遠隔制御リモコン１は、暗視モードであったならば（Ｙｅｓ）、ステップＳ３５の処理を行い、暗視モードでなかったならば（Ｎｏ）、ステップＳ３６の処理を行う。
ステップＳ３５において、遠隔制御リモコン１は、暗視用赤外線ＬＥＤ１１７を所定時間だけ消灯する。
ステップＳ３６において、遠隔制御リモコン１は、赤外線ＬＥＤ１１７を介して、リモコンコードを送信する。遠隔制御リモコン１は、ステップＳ３６の処理が終了すると、ステップＳ３０の処理に戻る。
遠隔制御リモコン１は、赤外線ＬＥＤ１１７を暗視用として点灯しているときには、所定時間だけ消灯したのちにリモコンコードの送信に用いている。これにより、エアコン４は、正しくリモコンコードを受信することが可能である。
遠隔制御リモコン１は、赤外線ＬＥＤ１１７でリモコンコードを送信したのちに、再び暗視用に赤外線ＬＥＤ１１７を点灯している。これにより、遠隔制御リモコン１は、エアコン４を赤外線ＬＥＤ１１７で照らしながら制御後の映像を撮影することができる。この映像により、ユーザは、エアコン４がリモコンによってオン・オフしたか否かを確認可能である。
【００４５】
図９は、自動制御時における事前設定のモード遷移図である。
モードＭ７０において、スマートフォン２は、自身の液晶表示部２５２に、温度閾値の設定画面を表示する。これによりユーザは、スマートフォン２により、自動制御における温度閾値を設定することができる。
モードＭ７１において、スマートフォン２は、ＣＰＵ２２（制御部）により、自動家電制御モードにて動作条件を設定して、操作指示情報Ｘを生成する。この操作指示情報Ｘは、以下のようなものであり、照明３やエアコン４に係るスケジュールを１または複数含んだプログラムである。
【００４６】
処理＃１：温度が閾値以上となった場合。
処理＃２：部屋が暗い場合には照明３を点灯（遠隔操作情報Ｃ）。
処理＃３：エアコン４の操作前の写真を撮影。
処理＃４：エアコン４をオン（遠隔操作情報Ａ）。
処理＃５：操作前後に撮影した写真をスマートフォン２に送信。
処理＃６：エアコン４の操作後に照明３を消灯（遠隔操作情報Ｄ）。
【００４７】
モードＭ７２において、スマートフォン２は、設定した操作指示情報Ｘを、インターネット９を介して遠隔制御リモコン１に送信する。
モードＭ７３において、遠隔制御リモコン１は、操作指示情報Ｘを受信する。
モードＭ７４において、遠隔制御リモコン１は、自身の記憶部１６に操作指示情報を記録し、事前設定のモード遷移を終了する。
【００４８】
図１０は、自動制御時におけるエアコン・オン処理を示すフローチャートである。
ステップＳ４０において、遠隔制御リモコン１の制御部１２は、温度センサ１１２により、室内温度が所定範囲内であるか否かを判断する。遠隔制御リモコン１の制御部１２は、室内温度が所定範囲内ならば（Ｙｅｓ）、ステップＳ４０の処理を繰り返し、室内温度が所定範囲外ならば（Ｎｏ）、ステップＳ４１の処理を行う。
ステップＳ４１において、遠隔制御リモコン１の制御部１２は、照度センサ１１６により、室内照度が閾値以上であるか否かを判断する。遠隔制御リモコン１の制御部１２は、室内照度が閾値以上ならば（Ｙｅｓ）、ステップＳ４６の処理を行い、室内照度が閾値未満ならば（Ｎｏ）、ステップＳ４２の処理を行う。
ステップＳ４２において、遠隔制御リモコン１の制御部１２は、照明３に向けてパンチルト動作を行う。
ステップＳ４３において、遠隔制御リモコン１の制御部１２は、赤外線ＬＥＤ１１７により、照明３を点灯させるリモコンコードを送信する。
【００４９】
ステップＳ４４において、遠隔制御リモコン１の制御部１２は、照度センサ１１６により、室内照度が閾値以上であるか否かを判断する。遠隔制御リモコン１は、室内照度が閾値以上ならば（Ｙｅｓ）、ステップＳ４６の処理を行い、室内照度が閾値未満ならば（Ｎｏ）、ステップＳ４５の処理を行う。
ステップＳ４５において、遠隔制御リモコン１の制御部１２は、暗視用として赤外線ＬＥＤ１１７を点灯する。
ステップＳ４６において、遠隔制御リモコン１の制御部１２は、エアコン４に向けてパンチルト動作を行う。
【００５０】
ステップＳ４７において、遠隔制御リモコン１の制御部１２は、自身のカメラで操作前の画像を撮影する。
ステップＳ４８において、遠隔制御リモコン１の制御部１２は、赤外線ＬＥＤ１１７により、エアコン４をオンさせるリモコンコードを送信する。
ステップＳ４９において、遠隔制御リモコン１の制御部１２は、自身のカメラで操作後の画像を撮影する。
【００５１】
ステップＳ５０において、遠隔制御リモコン１の制御部１２は、撮影画像をスマートフォン２にメール送信する。
なお、遠隔制御リモコン１は、撮影前後の撮影画像を比較し、変化の有無情報をスマートフォン２に送信するように構成してもよい。遠隔制御リモコン１は更に、撮影前後の撮影画像に変化が無いと判断した場合、リモコンコードを再送信するように構成してもよい。
ステップＳ５１において、遠隔制御リモコン１の制御部１２は、照明３が点灯中であるか否かを判断する。制御部１２は、照明３が点灯中でないならば（Ｎｏ）、ステップＳ５４の処理を行い、照明３が点灯中ならば（Ｙｅｓ）、ステップＳ５２の処理を行う。
ステップＳ５２において、遠隔制御リモコン１の制御部１２は、照明３に向けてパンチルト動作を行う。
【００５２】
ステップＳ５３において、遠隔制御リモコン１の制御部１２は、赤外線ＬＥＤ１１７により、照明３を消灯させるリモコンコードを送信する。
ステップＳ５４において、遠隔制御リモコン１は、暗視用としての赤外線ＬＥＤ１１７を点灯中であるか否かを判断する。遠隔制御リモコン１は、赤外線ＬＥＤ１１７を点灯中ならば（Ｙｅｓ）、ステップＳ５５の処理を行い、赤外線ＬＥＤ１１７を点灯中でないならば（Ｎｏ）、ステップＳ５６の処理を行う。
ステップＳ５５において、遠隔制御リモコン１の制御部１２は、暗視用としての赤外線ＬＥＤ１１７を消灯する。
ステップＳ５６において、遠隔制御リモコン１の制御部１２は、規定座標にパンチルト動作を行う。
ステップＳ５７において、遠隔制御リモコン１の制御部１２は、記憶部１６に、一連の操作履歴を記録する。この操作履歴には、エアコン４の操作前のセンサ情報と、エアコン４の操作後のセンサ情報とが含まれている。ステップＳ５７の処理が終了すると、図１０の処理は終了する。
【００５３】
遠隔制御リモコン１の制御部１２は、照明３を、カメラによる撮影開始時に点灯させ、撮影終了時には消灯させるようにリモコン操作する。これにより、鮮明な画像を撮影することができる。
制御部１２は、操作前の撮影画像と操作後の撮影画像とを撮影して、スマートフォン２に送信する。これによりユーザは、操作前の撮影画像と操作後の撮影画像とを比較して、エアコン４のオン処理が正常に行われたか否かを確認することができる。
【００５４】
（変形例）
本発明は、上記実施形態に限定されることなく、本発明の趣旨を逸脱しない範囲で、変更実施が可能であり、例えば、次の（ａ）〜（ｅ）のようなものがある。
【００５５】
（ａ）  遠隔制御リモコン１の制御対象は、照明３やエアコン４に限定されず、加湿器・テレビ・空気清浄機など、任意のジャンルの家電であってもよく、更に家電以外であってもリモコン制御可能な電子機器であればよい。
（ｂ）  遠隔制御リモコン１を操作する端末は、スマートフォン２に限定されず、パーソナルコンピュータ、タブレット、携帯電話、カーナビゲーションシステムなどであってもよく、限定されない。
（ｃ）  遠隔制御リモコン１が監視対象とするセンサは、温度センサ１１２に限定されず、例えば、照度センサ１１６や、湿度センサ・気圧センサ・埃センサなどであってもよい。
（ｄ）  センサ部１１は、１つ以上のセンサを備え、センサのうちの少なくとも１つがカメラ（撮像部）であればよく、その構成は限定されない。
（ｅ）  ネットワーク通信部１３は、無線ネットワークまたは有線ネットワークを介してスマートフォン２と通信してもよい。ネットワーク通信部１３は更に、近距離無線通信を介してスマートフォン２と通信してもよい。
【符号の説明】
【００５６】
１  遠隔制御リモコン  （遠隔制御装置）
１１  センサ部
１１１  マイク
１１２  温度センサ
１１３  映像処理制御ＩＣ  （撮像部）
１１４  撮像素子  （撮像部）
１１５  光学系  （撮像部）
１１６  照度センサ
１１７  赤外線ＬＥＤ
１１８  パンチルト可動部
１２  制御部
１２１  中央制御ＩＣ
１２２  モータ制御回路
１２３  オーディオ制御ＩＣ
１３  ネットワーク通信部
１３４  近距離無線制御部
１４  スピーカ
１５１  メモリカードコントローラ
１５２  メモリカード
１６  記憶部
１７  ＵＳＢ端子
２  スマートフォン  （操作端末）
２１  マイク
２２  ＣＰＵ
２３  通信部
２３２  無線ＬＡＮ制御ＩＣ
２３３  アンテナ
２３４  近距離無線制御部
２４  スピーカ
２５１  タッチパネル部
２５２  液晶表示部
２６  赤外線受光部
２７  記憶部
２７１  操作プログラム
３  照明
４  エアコン
５  家電
７  サービス提供用外部サーバ
８  ルータ
９  インターネット
【図１】
0005886267.tif 000002
【図２】
0005886267.tif 000003
【図３】
0005886267.tif 000004
【図４】
0005886267.tif 000005
【図５】
0005886267.tif 000006
【図６】
0005886267.tif 000007
【図７】
0005886267.tif 000008
【図８】
0005886267.tif 000009
【図９】
0005886267.tif 000010
【図１０】
0005886267.tif 000011